(57)【特許請求の範囲】
【請求項１】
車体と、
前記車体の左右両側において前後に配置される駆動輪及び従動輪と、
前記車体に設けられる座席と、
前記駆動輪を駆動する電動機と、
前記電動機と前記駆動輪を備える車軸との間に介在し、前記車軸に沿う方向に入力軸を有する減速機と、を備え、
前記電動機が、着脱可能なバッテリーを有する手持式の電動工具によって構成され、
前記電動工具は、出力軸を有する本体に対して把持部が前記座席側に位置するよう前記車体の床面上に配置され、前記出力軸の軸芯方向視において前記把持部が前記出力軸周りで前記床面に押し付けられる方向とは反対方向に前記出力軸が回転されて前記入力軸に前進側の駆動力が伝達される走行台車。
【請求項２】
車体と、
前記車体の左右両側において前後に配置される駆動輪及び従動輪と、
前記車体に設けられる座席と、
前記駆動輪を駆動する電動機と、
前記電動機と前記駆動輪を備える車軸との間に介在する減速機と、を備え、
前記電動機が、着脱可能なバッテリーを有する手持式の電動工具によって構成され、
走行速度を調整する速度調整部を備え、
前記速度調整部は、
前記電動工具において押圧操作により出力軸の回転速度を高めるトリガー部に対し、
前記トリガー部を押圧する押圧方向と前記トリガー部から離間する離間方向とに揺動可能となるように前記車体に保持される操作体と、
前記操作体を前記離間方向に付勢するスプリングと、
前記操作体に接続されて押引き操作可能なワイヤ部材と、を備えた走行台車。
【請求項３】
前記車体に前記電動工具を着脱可能に保持する保持部を備える請求項１又は２に記載の走行台車。
【請求項４】
前記座席の前方側に設けられ、前記車体の上面に起立する起立姿勢と、前記車体の後方側に倒されて前記車体の上面に沿う折畳み姿勢とに変更可能なハンドル部と、
前記座席の後部に設けられ、前記車体の上面に起立して前記座席を支持する起立姿勢と、前記車体の前方側に前記座席と共に倒されて前記車体の上面に沿う折畳み姿勢とに変更可能な座席支持部と、を備え、
前記電動工具、前記折畳み姿勢の前記ハンドル部、及び前記折畳み姿勢の前記座席支持部の夫々の高さが前記減速機の高さよりも低く設定されている請求項１〜３のいずれか一項に記載の走行台車。
【請求項５】
前記ハンドル部及び前記座席支持部は前記車体の左右両側に棒状の脚部を有し、
前記脚部のうち前記折畳み姿勢となる際に屈折されずに残る下部が平面視において前記駆動輪又は前記従動輪を備える車軸上に設けてある請求項４に記載の走行台車。
【請求項６】
前記駆動輪を備える車軸及び前記従動輪を備える車軸の少なくとも一方の回転を抑制する第１ブレーキ部と、前記駆動輪及び前記従動輪の少なくとも一方に当接して回転を抑制する第２ブレーキ部とを有する請求項１〜５のいずれか一項に記載の走行台車。
【請求項７】
前記第１ブレーキ部が、前記車軸の回転を抑制する制動部と、前記制動部に接続されるワイヤ部材と、前記ワイヤ部材を押引き操作する操作レバーと、前記操作レバーに取付けられる駐車ブレーキレバーと、を備え、
前記駐車ブレーキレバーは、前記操作レバーに当接可能な当接部を有し、ブレーキ操作位置の前記操作レバーに前記当接部が当接して当該操作レバーがブレーキ作動位置に保持されるロック状態と、前記操作レバーから前記当接部が離間して前記ロック状態が解除される解除状態とに切換可能に構成されている請求項６に記載の走行台車。
【発明の詳細な説明】
【技術分野】
【０００１】
本発明は、坑道内など、上下空間及び幅員がともに狭い通路において人員等を移動させるために走行する走行台車に関する。
【背景技術】
【０００２】
例えば、シールド工法においては、坑内のシールド本体の奥側で行われる堀削残土や資材等の運搬作業は、専用に敷設されたレール上を走行するトロッコや台車によって行われている。特に、上下水道や電力用洞道等の小径断面トンネルのように坑内空間が小さい（上下空間、幅員とも狭い）場合には、車体に搭載したモータを駆動源として車体上に座席とハンドルとを備えた走行台車が用いられる（例えば特許文献１）。
【０００３】
特許文献１に記載の走行台車は、車体の前後部に配置された４つの従動輪と、車体の中央部に配置された２つの駆動輪とを備えている。バッテリーに接続されたモータの回転が減速機を介して車軸に伝達され、駆動輪が回転する。駆動輪は走行レールに接する位置と走行レールから離れた位置とに変更可能である。これにより、走行台車は駆動走行と非駆動走行とが可能となる。
【先行技術文献】
【特許文献】
【０００４】
【特許文献１】特開２０１３−３９９２１号公報
【発明の概要】
【発明が解決しようとする課題】
【０００５】
このように、走行台車には、車輪駆動用の電動機とバッテリーとが配備されている。ただし、専用の電動機やバッテリーは重量が大きく、例えば坑内で使用する際に、走行台車を走行レールから離脱させる場合や走行方向を反転させる場合に労力が必要であった。また、専用の電動機やバッテリーであることで、故障発生時に使用者がメンテナンスを行うことは困難であった。
こうした実情に鑑み、軽量でかつメンテナンス性に優れた走行台車が求められている。
【課題を解決するための手段】
【０００６】
本発明に係る走行台車の特徴構成は、車体と、前記車体の左右両側において前後に配置される駆動輪及び従動輪と、前記車体に設けられる座席と、前記駆動輪を駆動する電動機と、前記電動機と前記駆動輪を備える車軸との間に介在し、前記車軸に沿う方向に入力軸を有する減速機と、を備え、前記電動機が、着脱可能なバッテリーを有する手持式の電動工具によって構成され、前記電動工具は、出力軸を有する本体に対して把持部が前記座席側に位置するよう前記車体の床面上に配置され、前記出力軸の軸芯方向視において前記把持部が前記出力軸周りで前記床面に押し付けられる方向とは反対方向に前記出力軸が回転されて前記入力軸に前進側の駆動力が伝達される点にある。
【０００７】
本構成では、走行台車の駆動輪を駆動する電動機として、着脱可能なバッテリーを有する手持式の電動工具を用いる。電動工具はモータ部とバッテリーとが一体となって構成されている。このため、車体にモータ部とバッテリーとを個別に配置する必要がなく、車体上のスペースを効率よく使用することができる。
【０００８】
手持式の電動工具は片手で把持して作業するものであり軽量な工具であることから、走行台車の軽量化を図ることもできる。また、電動工具のバッテリーは小型であり工具本体から着脱可能であることから、バッテリーの交換や充電作業等が簡易となる。
【０００９】
本発明に係る走行台車の他の特徴構成は、前記車体に前記電動工具を着脱可能に保持する保持部を備える点にある。
【００１０】
本構成の如く、車体に電動工具を着脱可能に保持する保持部を備えることで、車体から電動工具を容易に取り外すことができる。取り外した電動工具は本来の用途で使用することもできる。車体から電動工具を取り外すことで走行台車が軽量になるため、走行台車の自力での移動が行いやすくなる。また、電動工具の動作に不具合等が生じた場合には、電動工具を取替えることで容易に対応することができる。
【００１１】
本発明に係る走行台車の他の特徴構成は、前記座席の前方側に設けられ、前記車体の上面に起立する起立姿勢と、前記車体の後方側に倒されて前記車体の上面に沿う折畳み姿勢とに変更可能なハンドル部と、前記座席の後部に設けられ、前記車体の上面に起立して前記座席を支持する起立姿勢と、前記車体の前方側に前記座席と共に倒されて前記車体の上面に沿う折畳み姿勢とに変更可能な座席支持部と、を備え、
前記電動工具、前記折畳み姿勢の前記ハンドル部、及び前記折畳み姿勢の前記座席支持部の夫々の高さが前記減速機の高さよりも低く設定されている点にある。
【００１２】
本構成の如く、折畳み姿勢にあるハンドル部と座席支持部とが減速機よりも低い位置となれば、走行台車を持ち上げて移動する際や収納する際に非常に扱い易いものとなる。
【００１３】
本発明に係る走行台車の他の特徴構成は、前記ハンドル部及び前記座席支持部は前記車体の左右両側に棒状の脚部を有し、前記脚部のうち前記折畳み姿勢となる際に屈折されずに残る下部が平面視において前記駆動輪又は前記従動輪を備える車軸上に設けてある点にある。
【００１４】
走行台車の前後方向において、座席がハンドル部と座席支持部との間に配置される。このため、ハンドル部及び座席支持部は車体の前後端寄りに配置される。折畳み姿勢のハンドル部及び座席支持部ではこれらの脚部のうち屈曲されずに残る下部は車体上に突出する。
また、車体では駆動輪又は従動輪が上下方向に突出して配置される。そこで、本構成では、この下部が平面視において駆動輪又は従動輪を備える車軸上に設けることとし、車体において上下方向に突出する部材を車輪の近傍の位置に集約してある。その結果、折畳んだ走行台車を持ち運ぶ際に、走行台車が他物に干渉する機会を減らすことができ、走行台車がより扱い易くなる。
【００１５】
本発明に係る走行台車の特徴構成は、車体と、前記車体の左右両側において前後に配置される駆動輪及び従動輪と、前記車体に設けられる座席と、前記駆動輪を駆動する電動機と、前記電動機と前記駆動輪を備える車軸との間に介在する減速機と、を備え、前記電動機が、着脱可能なバッテリーを有する手持式の電動工具によって構成され、走行速度を調整する速度調整部を備え、前記速度調整部は、前記電動工具において押圧操作により出力軸の回転速度を高めるトリガー部に対し、前記トリガー部を押圧する押圧方向と前記トリガー部から離間する離間方向とに揺動可能となるように前記車体に保持される操作体と、前記操作体を前記離間方向に付勢するスプリングと、前記操作体に接続されて押引き操作可能なワイヤ部材と、を備えた点にある。
【００１６】
本構成であれば、ワイヤ部材を押引き操作することで、電動工具のトリガー部に対する操作体の押圧状態が調整され、出力軸の回転速度が増減する。このように、電動工具のトリガー部を利用して走行台車の走行速度を調整することで、走行台車の速度調整部を簡素に構成することができる。
【００１７】
本発明に係る走行台車の他の特徴構成は、前記駆動輪を備える車軸及び前記従動輪を備える車軸の少なくとも一方の回転を抑制する第１ブレーキ部と、前記駆動輪及び前記従動輪の少なくとも一方に当接して回転を抑制する第２ブレーキ部とを有する点にある。
【００１８】
本構成の如く、走行台車のブレーキ部として、駆動輪または従動輪の車軸の回転を抑制する第１ブレーキ部と、駆動輪または従動輪の回転を抑制する第２ブレーキ部とを有することで、走行台車を確実に減速させることができ、安全な走行状態を実現することができる。
【００１９】
本発明に係る走行台車の他の特徴構成は、前記第１ブレーキ部が、前記車軸の回転を抑制する制動部と、前記制動部に接続されるワイヤ部材と、前記ワイヤ部材を押引き操作する操作レバーと、前記操作レバーに取付けられる駐車ブレーキレバーと、を備え、前記駐車ブレーキレバーは、前記操作レバーに当接可能な当接部を有し、ブレーキ操作位置の前記操作レバーに前記当接部が当接して当該操作レバーがブレーキ作動位置に保持されるロック状態と、前記操作レバーから前記当接部が離間して前記ロック状態が解除される解除状態とに切換可能に構成されている点にある。
【００２０】
本構成の如く、走行台車の第１ブレーキ部として、車軸の回転を抑制する制動部と、制動部に接続されるワイヤ部材と、ワイヤ部材を押引き操作する操作レバーと、操作レバーに取付けられる駐車ブレーキレバーと、を備えることで、走行台車を安定した停止状態にして駐車することができる。また、駐車ブレーキレバーは、当接部の位置を変えるだけで操作レバーがブレーキ作動位置に保持されるロック状態と、ロック状態が解除される解除状態との切換えが可能であるため、駐車ブレーキを簡易に操作することができる。
【図面の簡単な説明】
【００２１】
【図１】走行台車の斜視図である。
【図２】走行台車の側面図である。
【図３】走行台車の折畳み状態を示す斜視図である。
【図４】走行台車の起立状態への移行過程を示す斜視図である。
【図５】走行台車の起立状態への移行過程を示す斜視図である。
【図６】車体前側に配置された駆動機構の分解斜視図である。
【図７】車体前側の駆動機構の構成を示す平面図である。
【図８】速度調整部の構成を示す概略図である。
【図９】駐車ブレーキレバーの動作状態（非ロック状態）を示す図である。
【図１０】駐車ブレーキレバーの動作状態（ロック状態）を示す図である。
【発明を実施するための形態】
【００２２】
以下、走行台車の一実施形態を図面に基づいて説明する。図１及び図２に示すように、走行台車１は、車体２、車体２に回転可能に設けられる前後各一対の車輪３，４、座席５、及びハンドル部６を備えている。前側の車輪３は駆動輪であり、後側の車輪４は従動輪である。車体２の前方には車輪３を回転駆動させる駆動機構９が配置されている。
【００２３】
車体２は、上面が平坦で前後方向に長い扁平、例えば平面視において矩形状に形成されている。車体２の前後方向（長手方向）の長さは、例えば人が１人乗れる程度の寸法で形成されている。車体２は、鋼板やアルミ合金製の板材等で形成されている。
【００２４】
車体２の後方側に座席５が設けられ、座席５の後部に座席支持部７が設けられている。
座席５は矩形等の平板状に形成され、座席５の下面には折畳み可能な支持脚５１が設けられている。座席支持部７は、車体２の左右両側に配置される棒状の脚部７１と、２本の脚部７１の上端から車体２の左右内方に延設される上方水平部７２と、２本の脚部７１の上下方向の中間部位から車体２の左右内方に延設される中間水平部７３と、を有する。脚部７１は、折畳み姿勢となる際に屈曲される回動部７１ａと、屈曲されずに残る基部７１ｂとを有する。基部７１ｂは車輪４を備える後側の車軸１４上に設けられている。座席５の後部は中間水平部７３に揺動可能に固定されている。上方水平部７２は着座姿勢の乗員の背当て部として用いることができる。
【００２５】
座席５の左右両側には手摺部８が設けられている。手摺部８は、水平方向の延出部８１と上下方向の支持部８２とを備えてＬ字状に形成されている。脚部７１の上部に沿って筒部７４が設けられており、この筒部７４に支持部８２が挿入されて手摺部８が支持されている。支持部８２の側面には突部８２ａが形成されており、筒部７４には突部８２ａのガイド溝７４ａとして２本の上下溝と上下溝に連続して水平溝とが形成されている。手摺部８は、突部８２ａがガイド溝７４ａの一方の上下溝に位置すると延出部８１が車体２の前後に延びる手摺姿勢となり、突部８２ａがガイド溝７４ａに他方の上下溝に位置すると延出部８１が上方水平部７２に沿う格納姿勢になるように構成されている。
【００２６】
図１〜図４に示すように、ハンドル部６は、車体２の上面に起立する起立姿勢と、車体２の後方側に折畳まれる折畳み姿勢とに変更可能に構成されている。ハンドル部６は、車体２の上面から上方に突出する棒状の脚部６１と、脚部６１の上端から車体２の左右内方に延設される水平部６２とを有している。脚部６１は、折畳み姿勢となる際に屈曲される回動部６１ａと、屈曲されずに残る基部６１ｂとを有する。基部６１ｂは車輪３を備える前側の車軸１３上に設けられている。
【００２７】
基部６１ｂにはハンドル部６の姿勢を保持する固定レバー６３が設けられている。固定レバー６３は、回転操作により、基部６１ｂに対して回動部６１ａが回動可能な解除状態と回動不能なロック状態とに切替えることができる。ハンドル部６を起立姿勢に保持する際には、例えば固定レバー６３を一方向（例えば右回り）に回転させて固定レバー６３と回動部６１ａとを連結状態にする。一方、ハンドル部６を起立姿勢から折畳み姿勢にする際には、固定レバー６３を反対方向（例えば左回り）に回転させて固定レバー６３と回動部６１ａとの連結状態を解除する。
【００２８】
不使用時の走行台車１は、図３に示すように、座席５、座席支持部７、手摺部８、及びハンドル部６が車体２に上面に沿って折り畳まれている。走行台車１を使用する際には、図３の状態から、まずハンドル部６を起立状態（図４）にし、次に座席支持部７を起立状態にする（図５）。その後、座席５を車体２の上面に沿うように持ち上げて支持脚５１を支持姿勢に変更するとともに、手摺部８の延出部８１を車体２の前方に向く手摺姿勢に変更する（図１）。
【００２９】
車輪３を回転させる駆動機構９は、電動機２０と、電動機２０と車軸１３との間に介在する減速機３０と、を備える。電動機２０は着脱自在のバッテリー２６を有する手持式の電動工具によって構成されている。電動工具２０は例えばドライバードリルであって、図６に示すようにピストル型に形成されている。電動工具２０は、筒状の本体２１と、本体２１の下面から突出した把持部２２と、の下部に備えられたバッテリー２６とを有する。
バッテリー２６は把持部２２に対して着脱自在に設けられている。本体２１に設けられる出力軸には、チャック２３を介して角柱状の嵌合部２４（例えば六角レンチ）が取り付けられている。
【００３０】
電動工具２０は、チャック２３が減速機３０のケース３１の孔部３１ａに挿入され、本体２１のチャック２３とは反対側の端部が車体２に設けられた保持部２７に支持されている。保持部２７は、車体２の上面に固定された基部２７ａと、基部２７ａに取付けられ車体２の左右方向に位置調整可能なボルト部材２７ｂとを備えて構成されている。
【００３１】
本体２１と把持部２２との境目の部分には、トリガー部２５が設けられている。トリガー部２５は内蔵される付勢部材によって外方に付勢され、トリガー部２５を押圧することで電動工具２０の出力軸の回転速度が増すよう構成されている。バッテリー２６はリチウムイオン電池等で構成されている。
【００３２】
減速機３０は、ケース３１に内装されており、電動工具２０の出力軸に連結される第１軸３２と、第１軸３２の回転を伝達する第２軸３３とを備える。第１軸３２の端部には凹部を有する被嵌合部３２ａが設けられ、被嵌合部３２ａに電動工具２０の嵌合部２４に嵌合される。第１軸３２には第１ギア３４が設けられ、第２軸３３には減速ギア３５が設けられている。減速ギア３５は複数のギアが軸方向に並設されている。電動工具２０のトルク等に応じて１つの減速ギア３５が適宜選択され、チェーン等を介して第１ギア３４に接続されている。これにより、第１軸３２の回転が第１ギア３４及び減速ギア３５を介して第２軸３３に伝達される。第２軸３３には出力用の第２ギア３６が設けられ、第２ギア３６から車軸１３に設けられた入力用のギア（不図示）に回転が伝達されて車輪３が駆動する。
【００３３】
こうして、電動工具２０を駆動源として車輪３が回転し、走行台車１が自動（電動）走行する。電動工具２０は本体２１（モータ部）とバッテリー２６とが一体となって構成されている。このため、車体２にモータ部とバッテリーとを個別に配置する必要がなく、車体上のスペースを効率よく使用することができる。手持式の電動工具２０は片手で把持して作業するものであり軽量な工具であることから、走行台車１の軽量化を図ることもできる。また、電動工具２０が保持部２７に着脱可能に保持されるため、車体２から電動工具２０を容易に取り外すことができる。
【００３４】
走行台車１は、走行台車１の走行速度を調整が可能な速度調整部４０を備える。速度調整部４０は、電動工具２０の回転速度を変更することで走行台車１の走行速度を調整する。速度調整部４０は、ハンドル部６の水平部６２の右側に配置されたアクセルグリップ４１によって操作可能に構成されている。
【００３５】
図７及び図８に示すように、速度調整部４０は、電動工具２０のトリガー部２５を操作する操作体４２と、スプリング４３と、操作体４２に接続されて押引き操作可能なワイヤ部材４４と、を備える。操作体４２は、車体２に取付けられた蝶番４２ａに端部４２ｂが保持され、トリガー部２５を押圧する押圧方向とトリガー部２５から離間する離間方向とに揺動可能に構成されている。ワイヤ保持部４５が把持部２２を挟んで操作体４２に対向する位置に設けられている。ワイヤ部材４４の一端はアクセルグリップ４１に取付けられている。ワイヤ部材４４の他端は、アウタワイヤ４４ａがワイヤ保持部４５に取付けられ、インナワイヤ４４ｂがワイヤ保持部４５を貫通して延設され操作体４２の端部４２ｂに保持されている。スプリング４３は、操作体４２とワイヤ保持部４５との間のインナワイヤ４４ｂに外挿されており、操作体４２を離間方向に付勢する。
【００３６】
アクセルグリップ４１を上部が後方側に移動する向きに回転操作することで、スプリング４３に抗してインナワイヤ４４ｂが引き操作されて操作体４２が押圧方向に揺動する。
こうして、トリガー部２５が操作体４２によって押圧されると、電動工具２０の出力軸の回転速度が上昇し走行台車１が増速する。一方、アクセルグリップ４１の回転操作を緩めると、スプリング４３の付勢力によってインナワイヤ４４ｂが戻し操作され操作体４２が離間方向に揺動する。これにより、トリガー部２５が初期位置に向けて戻されるため、電動工具２０の出力軸の回転速度は低下し走行台車１は減速する。
【００３７】
走行台車１は、車輪（駆動輪）３を備える車軸１３及び車輪（従動輪）４を備える車軸１４の少なくとも一方の回転を抑制する第１ブレーキ部９１と、車輪（駆動輪）３及び車輪（従動輪）４の少なくとも一方に当接して回転を抑制する第２ブレーキ部９２とを有する。
【００３８】
図１及び図７に示すように、本実施形態の第１ブレーキ部９１は、車軸１３の回転を抑制する制動部９５と、制動部９５に接続されるワイヤ部材９４と、ワイヤ部材９４を押引き操作する操作レバー９３とを備える。制動部９５は、減速機３０に配置されたブレーキドラム９５ａとブレーキシュー９５ｂとを有する。ブレーキドラム９５ａは減速機３０の第２軸３３に取付けられており、第２軸３３と一体的に回転する。ブレーキシュー９５ｂはブレーキドラム９５ａの外周側に配備されワイヤ部材９４に接続されている。操作レバー９３を握り、ワイヤ部材９４が引き操作されると、ブレーキシュー９５ｂがブレーキドラム９５ａに当接する。
一方、第２ブレーキ部９２は、車体２の左側であって車輪３の後方に設けられ、ブレーキペダル９７とブレーキペダル９７の裏面に配置されたブレーキパッド９８とを備える。
ブレーキパッド９８はゴム等で形成され車輪３に当接するよう構成されている。
【００３９】
図９及び図１０に示すように、操作レバー９３の基部には、駐車ブレーキレバー１００が設けられている。駐車ブレーキレバー１００は、回動軸１０１を挟んで操作レバー９３に当接可能な当接部１０２と、操作レバー９３の支持部材９３ａの内方に配置される係合部１０３とを備える。当接部１０２は操作レバー９３の基部に外挿され操作レバー９３の端部側に屈曲形成されている。操作レバー９３を握り操作すると回動軸１０１が操作レバー９３の回動軸９３ｂに対して周方向に移動する。これにより、駐車ブレーキレバー１００は回動軸１０１を中心に回動可能となる。なお、駐車ブレーキレバー１００は、回動軸１０１に備えられたバネ部材（不図示）によって当接部１０２が操作レバー９３から離間する向きに付勢されている。
【００４０】
走行台車１を駐車する際には、操作レバー９３を握り、駐車ブレーキレバー１００の当接部１０２を操作レバー９３の握り方向と同方向に回動させた後、操作レバー９３の握り操作を緩めて当接部１０２に操作レバー９３を当接させる（図１０）。その際、駐車ブレーキレバー１００において、係合部１０３が操作レバー９３の支持部材９３ａの内壁に設けられた凸部９３ｃに当接する。このため、当接部１０２は操作レバー９３から離間する方向への回動が規制される。これにより、操作レバー９３がブレーキ作動位置に保持されるロック状態となり駐車ブレーキが機能する。このロック状態は操作レバー９３を握り操作することで解除することができる。操作レバー９３を握り操作すると、回動軸１０１が操作レバー９３の回動軸９３ｂ回りに移動するため、係合部１０３は凸部９３ｃから離脱する。これにより、駐車ブレーキレバー１００は、回動軸１０１のバネ付勢を受けて操作レバー９３から離間する方向に回動し、操作レバー９３のロック状態が解除される解除状態となる。
【００４１】
図１に示すように、ハンドル部６の水平部６２には、警報ブザーＢ、前照灯Ｌ、速度計（不図示）等が必要に応じて配置される。その他、アクセルグリップ４１の回転操作に連動して電動工具２０の出力軸の回転速度の度合を示す回転速度表示部がアクセルグリップ４１に隣接して配置してもよい。回転速度表示部では、例えばアクセルグリップ４１の回転角度が増すに伴い、数字の増減表示や、高・中・低の表示等が行われる。これにより、電動工具２０の回転動作状態を確認することができる。
【００４２】
走行台車１は、坑内を移動後、坑内での作業の妨げにならないよう、走行レール上から外されて坑内の壁等に立て掛けられる。こうした走行台車１の不使用時には、座席５及び座席支持部７を折り畳んで車体２の前方側に倒すとともに、固定レバー６３を操作してロック状態を解除してハンドル部６を車体２の後方側に倒して折畳み姿勢にする。座席支持部７の上方水平部７２の上方にハンドル部６の水平部６２が位置する状態で両者が折り畳まれる。座席支持部７は、ハンドル部６に押圧された状態となるため折畳み姿勢が維持され易くなる。これにより、例えば座席支持部７の脚部７１を把持して走行台車１を移動させる場合にも、座席支持部７の姿勢が安定し、走行台車１の収納性及び持運び性が優れたものとなる。
【００４３】
〔別実施形態〕
（１）上記実施形態では、電動工具２０と減速機３０との連結に際し、角柱状の嵌合部２４として六角レンチを用いる例を示したが、嵌合部２４は六角レンチに限定されず、広く凸状体と凸状体に嵌合される被嵌合部とによって連結される。
【００４４】
（２）上記実施形態では、速度調整部４０をアクセルグリップ４１によって操作する例を示したが、速度調整部４０をペダルによって操作する構成であってもよい。
【００４５】
（３）上記実施形態では、ブレーキ部９１，９２が駆動輪である車輪３に作用する例を示したが、ブレーキ部９１，９２は駆動輪（車輪３）及び従動輪（車輪４）の両方に作用するものでもよい。
【産業上の利用可能性】
【００４６】
本発明の走行台車は、幅狭な通路における人員等の移動に広く利用することができる。
【符号の説明】
【００４７】
１              ：走行台車
２              ：車体
３              ：駆動輪
４              ：従動輪
５              ：座席
６              ：ハンドル部
７              ：座席支持部
１３，１４      ：車軸
２０            ：電動工具（電動機）
２５            ：トリガー部
２６            ：バッテリー
２７            ：保持部
３０            ：減速機
４０            ：速度調整部
４２            ：操作体
４４            ：ワイヤ部材
６１，７１      ：脚部
６１ｂ，７１ｂ  ：基部
９３            ：操作レバー
１００          ：駐車ブレーキレバー
【要約】
【課題】軽量でかつメンテナンス性に優れた走行台車を提供する。
【解決手段】車体２と、車体２の左右両側において前後に配置される駆動輪３及び従動輪４と、車体２に設けられる座席５と、駆動輪３を駆動する電動機２０と、電動機２０と駆動輪３を備える車軸との間に介在する減速機３０と、を備え、電動機２０が、着脱可能なバッテリー２６を有する手持式の電動工具２０によって構成されている。
【選択図】図１【図１】
0005893199.tif 000002
【図２】
0005893199.tif 000003
【図３】
0005893199.tif 000004
【図４】
0005893199.tif 000005
【図５】
0005893199.tif 000006
【図６】
0005893199.tif 000007
【図７】
0005893199.tif 000008
【図８】
0005893199.tif 000009
【図９】
0005893199.tif 000010
【図１０】
0005893199.tif 000011